(57)【要約】【課題】ユーザが片手で操作できるようにするためのタッチ操作によって、誤ってアプリケーションが実行されるのを防止することができる携帯端末を提供する。【解決手段】制御部１２は、表示されている特定のアイコンに対応するタッチパネル８の箇所を起点として横にスライドする操作が実行された場合に、表示されている画像を縮小して表示可能領域内のスライドする操作の終点に近い方向に移動させる。特定のアイコンは、長押しによって携帯端末２に動作を引き起こさせないアイコンである。【選択図】図１
2016224523.tif 000002
【特許請求の範囲】
【請求項１】
携帯端末であって、
複数のアイコンを含む画像を表示可能領域内に表示するように構成された表示部と、
タッチパネルと、
表示されている特定のアイコンに対応する前記タッチパネルの箇所を起点として横にスライドする操作が実行された場合に、表示されている画像を縮小して前記表示可能領域内の前記スライドする操作の終点に近い方向に移動させるように構成された制御部とを備え、
前記特定のアイコンは、長押しによって前記携帯端末に動作を引き起こさせないアイコンである、携帯端末。
【請求項２】
前記特定のアイコンは、前記複数のアイコンの配置箇所のうち、最も下側の配置箇所に配置され、
前記制御部は、前記特定のアイコンに対応する前記タッチパネルの箇所を起点として左側にスライドする操作が実行された場合に、前記表示されている画像を縮小して前記表示可能領域内の左下に移動させるように構成される、請求項１記載の携帯端末。
【請求項３】
前記制御部は、前記特定のアイコンに対応する前記タッチパネルの箇所を起点として右側にスライドする操作が実行された場合に、前記表示されている画像を縮小して前記表示可能領域内の右下に移動させるように構成される、請求項２記載の携帯端末。
【請求項４】
前記特定のアイコンは、フォルダを表わすアイコンを含む、請求項１記載の携帯端末。
【請求項５】
前記特定のアイコンは、アプリケーションを表わすアイコンを含むフォルダを表わすアイコンである、請求項４記載の携帯端末。
【請求項６】
複数のアイコンを含む画像を表示可能領域内に表示するように構成された表示部と、
タッチパネルと、
ナビゲーションキーに対応する前記タッチパネルの箇所を起点として横にスライドする操作が実行された場合に、表示されている画像を縮小して前記表示可能領域内の前記スライドする操作の終点に近い方向に移動させるように構成された制御部とを備えた、携帯端末。
【請求項７】
前記制御部は、前記ナビゲーションキーに対応する前記タッチパネルの箇所を起点として左側にスライドする操作が実行された場合に、前記表示されている画像を縮小して前記表示可能領域内の左下に移動させるように構成される、請求項６記載の携帯端末。
【請求項８】
前記制御部は、前記ナビゲーションキーに対応する前記タッチパネルの箇所を起点として右側にスライトさせる操作が実行された場合に、前記表示されててる画像を縮小して前記表示可能領域内の右下に移動させるように構成される、請求項７記載の携帯端末。
【請求項９】
前記ナビゲーションキーは、ホームキーを含む、請求項６記載の携帯端末。
【請求項１０】
前記制御部は、前記画像を縮小して移動させた後、その後表示する画像についても、縮小して前記移動させた位置と同じ位置に表示する、請求項１〜９のいずれか１項に記載の携帯端末。
【請求項１１】
複数のアイコンを含む画像を表示可能領域内に表示するように構成される表示部と、
タッチパネルと、
前記タッチパネルの前記アイコンが配置されていない箇所を起点にして下側にスライドする操作が実行された場合に、前記表示されている画像を縮小して前記表示可能領域内の前記スライドする操作の終点に近い方向に移動させるように構成される制御部とを備えた、携帯端末。
【請求項１２】
前記制御部は、前記タッチパネルの左端のある箇所を起点にして下にスライドする操作が実行された場合に、前記表示されている画像を縮小して前記表示可能領域内の左下に移動させるように構成される、請求項１１記載の携帯端末。
【請求項１３】
前記制御部は、前記画像を縮小して左下に表示した後、前記タッチパネルの左端のある箇所を起点にして上にスライドする操作が実行された場合に、前記縮小された画像を縮小前の画像の大きさに拡大して、前記縮小前の位置に移動させるように構成される、請求項１２記載の携帯端末。
【請求項１４】
前記制御部は、前記タッチパネルの右端のある箇所を起点にして下にスライドする操作が実行された場合に、前記表示されている画像を縮小して前記表示可能領域内の右下に移動させるように構成される、請求項１１記載の携帯端末。
【請求項１５】
前記制御部は、前記画像を縮小して右下に表示した後、前記タッチパネルの右端のある箇所を起点にして上にスライドする操作が実行された場合に、前記縮小された画像を縮小前の画像の大きさに拡大して、前記縮小前の位置に移動させるように構成される、請求項１４記載の携帯端末。
【請求項１６】
前記制御部は、ユーザ設定時において、ユーザの前記タッチパネルのタッチ箇所に基づいて、前記画像を縮小するときの縮小率と表示領域を設定するように構成される、請求項１〜１５のいずれか１項に記載の携帯端末。
【発明の詳細な説明】
【技術分野】
【０００１】
本開示は、携帯端末に関する。
【背景技術】
【０００２】
片手で操作ができるようにした携帯端末が知られている。たとえば、特許文献１（特開２０１３−２２９００４号公報）に記載の携帯端末は、タッチパネルにおける指の接触位置を中心とする所定半径の扇形の円弧上の位置に、複数のアイコンの表示位置を変更してタッチパネルに表示させる。これにより、指が届く接触位置を中心とする扇形の円弧上の位置に複数のアイコンの表示位置を変更させることにより、片手で自由自在に操作することができる。この結果、携帯電話端末を片手で操作しようとするユーザの利便性を高めることが可能になる。
【先行技術文献】
【特許文献】
【０００３】
【特許文献１】特開２０１３−２２９００４号公報
【発明の概要】
【発明が解決しようとする課題】
【０００４】
しかしながら、特許文献１に記載の携帯端末において、片手で操作できるようにするために複数のアイコンの表示位置を変更しようとして、タッチした指の位置がアプリケーションアイコンの位置の場合に、アプリケーションが実行されたり、アイコンが移動可能な状態に変化することがある。
【０００５】
それゆえに、本開示の目的は、ユーザが片手で操作できるようにするためのタッチ操作によって、誤って意図しない処理が実行されるのを防止することができる携帯端末を提供することである。
【課題を解決するための手段】
【０００６】
一実施形態の携帯端末は、複数のアイコンを含む画像を表示可能領域内に表示するように構成された表示部と、タッチパネルと、表示されている特定のアイコンに対応するタッチパネルの箇所を起点として横にスライドする操作が実行された場合に、表示されている画像を縮小して表示可能領域内のスライドする操作の終点に近い方向に移動させるように構成された制御部とを備える。特定のアイコンは、長押しによって携帯端末に動作を引き起こさせないアイコンである。
【０００７】
他の一実施形態の携帯端末は、複数のアイコンを含む画像を表示可能領域内に表示するように構成された表示部と、タッチパネルと、ナビゲーションキーに対応するタッチパネルの箇所を起点として横にスライドする操作が実行された場合に、表示されている画像を縮小して表示可能領域内のスライドする操作の終点に近い方向に移動させるように構成された制御部とを備える。
【０００８】
他の一実施形態の携帯端末は、複数のアイコンを含む画像を表示可能領域内に表示するように構成される表示部と、タッチパネルと、タッチパネルの横方向の端のある箇所を起点にして下側にスライドする操作が実行された場合に、表示されている画像を縮小して表示可能領域内のスライドする操作の終点に近い方向に移動させるように構成される制御部とを備える。
【発明の効果】
【０００９】
一実施形態によれば、ユーザが片手で操作できるようにするためのタッチ操作によって、誤ってアプリケーションが実行されるのを防止することができる。
【図面の簡単な説明】
【００１０】
【図１】実施の形態の携帯端末の構成を表わす図である。
【図２】第１の実施形態の動作手順を表わすフローチャートである。
【図３】第１の実施形態において、ユーザが携帯端末を左手で保持し、画像の縮小操作を開始したときの状態を表わす図である。
【図４】第１の実施形態において、ユーザが携帯端末を左手で保持し、画像の縮小操作を終了したときの状態を表わす図である。
【図５】第１の実施形態において、ユーザが携帯端末を右手で保持し、画像の縮小操作を開始したときの状態を表わす図である。
【図６】第１の実施形態において、ユーザが携帯端末を右手で保持し、画像の縮小操作を終了したときの状態を表わす図である。
【図７】第２の実施形態の動作手順を表わすフローチャートである。
【図８】第２の実施形態において、ユーザが携帯端末を左手で保持し、画像の縮小操作を開始したときの状態を表わす図である。
【図９】第２の実施形態において、ユーザが携帯端末を左手で保持し、画像の縮小操作を終了したときの状態を表わす図である。
【図１０】第２の実施形態において、ユーザが携帯端末を右手で保持し、画像の縮小操作を開始したときの状態を表わす図である。
【図１１】第２の実施形態において、ユーザが携帯端末を右手で保持し、画像の縮小操作を終了したときの状態を表わす図である。
【図１２】第３の実施形態の動作手順を表わすフローチャートである。
【図１３】第３の実施形態において、ユーザが携帯端末を左手で保持し、画像の縮小操作を開始したときの状態を表わす図である。
【図１４】第３の実施形態において、ユーザが携帯端末を左手で保持し、画像の縮小操作を終了したときの状態を表わす図である。
【図１５】第３の実施形態において、ユーザが携帯端末を右手で保持し、画像の縮小操作を開始したときの状態を表わす図である。
【図１６】第３の実施形態において、ユーザが携帯端末を右手で保持し、画像の縮小操作を終了したときの状態を表わす図である。
【図１７】第４の実施形態の動作手順を表わすフローチャートである。
【図１８】第４の実施形態において、ユーザが携帯端末を左手で保持し、画像の通常サイズへの拡大操作を開始したときの状態を表わす図である。
【図１９】第４の実施形態において、ユーザが携帯端末を左手で保持し、画像の通常サイズへの拡大操作を終了したときの状態を表わす図である。
【図２０】第４の実施形態において、ユーザが携帯端末を右手で保持し、画像の通常サイズへの拡大操作を開始したときの状態を表わす図である。
【図２１】第４の実施形態において、ユーザが携帯端末を右手で保持し、画像の通常サイズへの拡大操作を終了したときの状態を表わす図である。
【図２２】第５の実施形態の動作手順を表わすフローチャートである。
【図２３】第５の実施形態において、ユーザが携帯端末を左手で保持し、画像を左下に縮小表示するときの縮小率および表示可能エリアを設定している状態を表わす図である。
【図２４】第５の実施形態において、ユーザが携帯端末を左手で保持し、画像の縮小操作を終了したときの状態を表わす図である。
【図２５】変形例におけるスライド操作の途中段階で表示される画像を説明するための図である。
【図２６】変形例におけるスライド操作の開始時に表示される画像を表わす図である。
【図２７】変形例におけるスライド操作の終了時に表示される画像を表わす図である。
【発明を実施するための形態】
【００１１】
以下、実施の形態について図面を用いて説明する。
［第１の実施形態］
図１は、実施の形態の携帯端末２の構成を表わす図である。この携帯端末２は、スマートフォン、携帯電話、タブレッド、ノートパソコンなどを含む。
【００１２】
この携帯端末２は、無線通信部１４と、アンテナ１３と、カメラ６と、ディスプレイ７と、タッチパネル８と、スピーカ９と、マイク１０と、メモリ１１と、制御部１２とを備える。
【００１３】
カメラ６は、被写体を撮影して、静止画像または動画像を出力することができる。カメラ６は、携帯端末２の前面に設置され、前面方向の被写体を撮影するインカメラ、または携帯端末２の背面に設置され、背面方向の被写体を撮影するアウトカメラである。携帯端末２は、インカメラとアウトカメラの両方を備えるものであってもよい。
【００１４】
ディスプレイ７は、制御部１２から出力される画面を表示することができる。ディスプレイ７は、たとえば、液晶ディスプレイ、有機ＥＬ（Electro-Luminescence）ディスプレイなどである。
【００１５】
タッチパネル８は、ユーザからの入力を受け付ける入力受付部として機能することができる。タッチパネル８は、静電容量方式に従って、物体（ユーザの指またはペンなど）の接触または近接を検出するが、タッチパネル８はこれに限定されず、例えば、赤外線方式、または電磁誘導方式などの方式に従って、ユーザの入力を検出してもよい。
【００１６】
スピーカ９は、たとえば、電磁式スピーカなどで構成される。あるいは、スピーカ９は、圧電振動素子から構成され、表面のパネルを振動させることでユーザに音を伝えるものであってもよい。
【００１７】
マイク１０には、携帯端末２のユーザの音声および携帯端末２の周辺のノイズ音などが入力される。
【００１８】
メモリ１１は、データおよびプログラムを記憶することができる。
無線通信部１４は、アンテナ１３を通じて、無線基地局と通信を行なうことができる。無線通信部１４は、Ａ／Ｄコンバータ、Ｄ／Ａコンバータ、変調部、復調部、周波数コンバータ、増幅部などを含む。
【００１９】
制御部１２は、表示属性に基づいて、ディスプレイ７の表示可能エリアに画像を表示することができる。制御部１２は、通常時は、通常の表示属性に基づいて、ディスプレイ７の表示可能エリアの全体に画像を表示することができる。表示属性が縮小表示に変更された後は、制御部１２は、ディスプレイ７の表示可能エリアの一部に画像を縮小表示することができる。制御部１２は、表示されているランチャーフォルダアイコンに対応するタッチパネル８の箇所を起点として横にスライドする操作が実行された場合に、表示されている画像を縮小して表示可能領域内のスライド操作の終点に近い方向に移動させることができる。
【００２０】
ランチャーフォルダアイコンとは、１個以上のランチャーアイコンをまとめたフォルダを表わすアイコンである。ランチャーアイコンとは、携帯端末２で動作可能なアプリケーションを表現するアイコンである。ランチャーアイコンがタップ操作（指をタッチパネル８に接触させて、その後離す操作）によって選択されると、アプリケーションが実行される。ランチャーフォルダアイコンは、ホーム画面に表示される複数のアイコンの配置箇所のうち、最も下側の配置箇所に配置される。ランチャーフォルダアイコンがタップ操作によって選択されると、フォルダに含まれるランチャーアイコンが表示される。
【００２１】
（動作）
図２は、第１の実施形態の動作手順を表わすフローチャートである。
【００２２】
図２を参照して、ステップＳ１０１において、ユーザが、タッチパネル８のランチャーフォルダアイコンの位置を起点として、左にスライド操作を実行した場合に、処理がステップＳ１０２に進む。
【００２３】
ステップＳ１０２において、制御部１２は、表示されている画像を縮小し、かつディスプレイ７の表示可能エリアの左下に移動させることができる。
【００２４】
ステップＳ１０３において、制御部１２は、以降表示される画像についても縮小し、かつディスプレイ７の表示可能エリアの左下に表示されるように、画像の表示属性を変更することができる。これによって、制御部１２は、以降の画像の表示時に、画像の左下縮小表示機能を維持することができる。
【００２５】
ステップＳ１０４において、ユーザが、タッチパネル８のランチャーフォルダアイコンの位置を起点として、右にスライド操作を実行した場合に、処理がステップＳ１０５に進む。
【００２６】
ステップＳ１０５において、制御部１２は、表示されている画像を縮小し、かつディスプレイ７の表示可能エリアの右下に移動させることができる。
【００２７】
ステップＳ１０６において、制御部１２は、以降表示される画像についても縮小し、かつディスプレイ７の表示可能エリアの右下に表示されるように、画像の表示属性を変更することができる。これによって、制御部１２は、以降の画像の表示時に、画像の右下縮小表示機能を維持することができる。
【００２８】
（動作例）
図３は、第１の実施形態において、ユーザが携帯端末２を左手で保持し、画像の縮小操作を開始したときの状態を表わす図である。
【００２９】
図３を参照して、ディスプレイ７の表示可能エリア６５に画像７１が表示される。画像７１は、ランチャーフォルダアイコン９１を含む。ランチャーフォルダアイコン９１の配置箇所は、複数のアイコンの表示箇所の中の最も下側であり、かつ左右方向において真ん中である。ユーザが左手で携帯端末２を保持し、左親指によって、画像７１内のランチャーフォルダアイコン９１を起点にして左にスライドする操作を実行する。
【００３０】
他のアイコンを長押しすると、移動可能な状態となるのに対して、ランチャーフォルダアイコン９１を長押ししても携帯端末２に動作を引き起こさせない。このような特性を有するため、ランチャーフォルダアイコン９１は、画像の縮小を指示するためのアイコンとして適している。長押しとは、タッチパネル８にタッチしてすぐに離すタップとは異なり、所定時間、タッチパネル８をタッチし続ける動作をいう。
【００３１】
図４は、第１の実施形態において、ユーザが携帯端末２を左手で保持し、画像の縮小操作を終了したときの状態を表わす図である。
【００３２】
図３で説明したスライド操作が終了後に、図４に示すように、画像７１が縮小されて、表示可能エリア６５のスライド操作の終点方向、つまり左下に表示される。
【００３３】
図５は、第１の実施形態において、ユーザが携帯端末２を右手で保持し、画像の縮小操作を開始したときの状態を表わす図である。
【００３４】
図５を参照して、ディスプレイ７の表示可能エリア６５に画像７１が表示される。ユーザが右手で携帯端末２を保持し、右親指によって、画像７１内のランチャーフォルダアイコン９１を起点にして右にスライドする操作を実行する。
【００３５】
図６は、第１の実施形態において、ユーザが携帯端末２を右手で保持し、画像の縮小操作を終了したときの状態を表わす図である。
【００３６】
図５で説明したスライド操作が終了後に、図６に示すように、画像７１が縮小されて、表示可能エリア６５のスライト操作の終点方向、つまり右下に表示される。
【００３７】
以上のように、第１の実施形態によれば、画像の縮小を指示するのに適したランチャーフォルダアイコンを横にスライドすることによって、画像を縮小して左下または右下に移動させるので、ユーザは片手で縮小された画像に含まれるアイコンをタッチすることができる。
【００３８】
なお、ランチャーフォルダアイコンに代えて、ランチャーアイコン以外の何らかのアイコンを含むフォルダを表わすアイコンを用いることとしてもよい。また、ランチャーフォルダアイコンに代えて、長押しによって動作を引き起こさないような特定のアイコンを用いることとしてもよい。
【００３９】
また、画像を縮小表示するように表示属性が変更された後に、たとえば、図４などに示される電源／ロックキー８１を押し下げることによって、通常表示に戻るものとしてもよい。
【００４０】
［第２の実施形態］
第２の実施形態では、第１の実施形態におけるランチャーフォルダアイコンに代えて、ナビゲーションキーを用いる。
【００４１】
ナビゲーションキーは、アイコンと同様にディスプレイ７の表示可能エリアに表示されるソフトキーによって実現される、または、ディスプレイ７の表示可能エリア外に配置され、タッチパネル８とは別箇の静電容量方式の静電キーによって実現される。
【００４２】
第２の実施形態では、制御部１２は、表示されているナビゲーションキーに対応するタッチパネル８の箇所を起点として横にスライドする操作が実行された場合に、表示されている画像を縮小して表示可能領域内のスライド操作の終点に近い方向に移動させることができる。
【００４３】
（動作）
図７は、第２の実施形態の動作手順を表わすフローチャートである。
【００４４】
図７を参照して、ステップＳ２０１において、ユーザが、タッチパネル８のナビゲーションキーの位置を起点として、左にスライド操作を実行した場合に、処理がステップＳ２０２に進む。
【００４５】
ステップＳ２０２において、制御部１２は、表示されている画像を縮小し、かつディスプレイ７の表示可能エリアの左下に移動させることができる。
【００４６】
ステップＳ２０３において、制御部１２は、以降表示される画像についても縮小し、かつディスプレイ７の表示可能エリアの左下に表示されるように、画像の表示属性を変更することができる。
【００４７】
ステップＳ２０４において、ユーザが、タッチパネル８のナビゲーションキーの位置を起点として、右にスライド操作を実行した場合に、処理がステップＳ２０５に進む。
【００４８】
ステップＳ２０５において、制御部１２は、表示されている画像を縮小し、かつディスプレイ７の表示可能エリアの右下に移動させることができる。
【００４９】
ステップＳ２０６において、制御部１２は、以降表示される画像についても縮小し、かつディスプレイ７の表示可能エリアの右下に表示されるように、画像の表示属性を変更することができる。
【００５０】
（動作例）
図８は、第２の実施形態において、ユーザが携帯端末２を左手で保持し、画像の縮小操作を開始したときの状態を表わす図である。
【００５１】
図８を参照して、ディスプレイ７の表示可能エリア６５に画像７１が表示される。この例では、ナビゲーションキーは、静電キーによって実現されているので、表示可能エリア６５の外部の下側に複数のナビゲーションキーが配置されている。左側には、バックキー６６が配置される。中央には、ホームキー６７が配置される。右側には、アプリ履歴キー６８が配置される。
【００５２】
バックキー６６がタッチによって選択されると、１つ前の画面が表示される。ホームキー６７がタッチによって選択されると、ホーム画面が表示される。アプリ履歴キー６８がタッチによって選択されると、実行されたアプリケーションの履歴が表示される。
【００５３】
アプリ履歴キー６８に代えて、オプションメニューを表示するためのメニューキー配置されるものとしてもよい。
【００５４】
これらのナビゲーションキーは、ランチャーアイコンのようにタップされるとアプリケーションが起動されるようなことはない。このような特性を有するため、ナビゲーションキーは、画像の縮小を指示するためのアイコンとして適している。
【００５５】
ユーザが左手で携帯端末２を保持し、左親指によって、複数のナビゲーションキーのうちのホームキー６７を起点にして左にスライドする操作を実行する。
【００５６】
図９は、第２の実施形態において、ユーザが携帯端末２を左手で保持し、画像の縮小操作を終了したときの状態を表わす図である。
【００５７】
図８で説明したスライド操作が終了後に、図９に示すように、画像７１が縮小されて、表示可能エリア６５のスライド操作の終点方向、つまり左下に表示される。
【００５８】
図１０は、第２の実施形態において、ユーザが携帯端末２を右手で保持し、画像の縮小操作を開始したときの状態を表わす図である。
【００５９】
図１０を参照して、ディスプレイ７の表示可能エリア６５に画像７１が表示される。表示可能エリア６５の外側の下側に複数のナビゲーションキーが配置されている。ユーザが右手で携帯端末２を保持し、右親指によって、複数のナビゲーションキーのうちのホームキー６７を起点にして右にスライドする操作を実行する。
【００６０】
図１１は、第２の実施形態において、ユーザが携帯端末２を右手で保持し、画像の縮小操作を終了したときの状態を表わす図である。
【００６１】
図１０で説明したスライド操作が終了後に、図１１に示すように、画像７１が縮小されて、表示可能エリア６５のスライド操作の終点方向、つまり右下に表示される。
【００６２】
以上のように、第２の実施形態によれば、画像の縮小を指示するのに適したナビゲーションキーを横にスライドすることによって、画像を縮小して左下または右下に移動させるので、ユーザは片手で縮小された画像に含まれるアイコンをタッチすることができる。
【００６３】
なお、上記の動作例では、複数のナビゲーションキーのうち、ホームキーを起点にしたスライド操作によって、画像が縮小されるものとしたが、これに限定されるものではなく。ホームキー以外の任意のナビゲーションキーを起点にしたスライド操作によっても、画像が縮小されるものとしてもよい。あるいは、複数のナビゲーションのうち中央に配置されているナビゲーションキーを起点にしたスライド操作によって、画像が縮小されるものとしてもよい。
【００６４】
［第３の実施形態］
第３の実施形態では、ランチャーフォルダアイコンまたはナビゲーションキーに代えて、タッチパネルの左端および右端を用いる。
【００６５】
第３の実施形態では、制御部１２は、タッチパネル８の横方向の端のある箇所を起点にして下にスライドする操作が実行された場合に、表示されている画像を縮小して表示可能領域内のスライド操作の終点に近い方向に移動させることができる。
【００６６】
（動作）
図１２は、第３の実施形態の動作手順を表わすフローチャートである。
【００６７】
図１２を参照して、ステップＳ３０１において、ユーザが、タッチパネル８の左端のある箇所の位置を起点として、下にスライド操作を実行した場合に、処理がステップＳ３０２に進む。
【００６８】
ステップＳ３０２において、制御部１２は、表示されている画像を縮小し、かつディスプレイ７の表示可能エリアの左下に移動させることができる。
【００６９】
ステップＳ３０３において、制御部１２は、以降表示される画像についても縮小し、かつディスプレイ７の表示可能エリアの左下に表示されるように、画像の表示属性を変更することができる。
【００７０】
ステップＳ３０４において、ユーザが、タッチパネル８の右端のある位置を起点として、下にスライド操作を実行した場合に、処理がステップＳ３０５に進む。
【００７１】
ステップＳ３０５において、制御部１２は、表示されている画像を縮小し、かつディスプレイ７の表示可能エリアの右下に移動させることができる。
【００７２】
ステップＳ３０６において、制御部１２は、以降表示される画像についても縮小し、かつディスプレイ７の表示可能エリアの右下に表示されるように、画像の表示属性を変更することができる。
【００７３】
（動作例）
図１３は、第３の実施形態において、ユーザが携帯端末２を左手で保持し、画像の縮小操作を開始したときの状態を表わす図である。
【００７４】
図１３を参照して、ディスプレイ７の表示可能エリア６５に画像７１が表示される。ユーザが左手で携帯端末２を保持し、左親指によって、タッチパネル８の左端のある位置を起点として、下にスライドする操作を実行する。
【００７５】
図１４は、第３の実施形態において、ユーザが携帯端末２を左手で保持し、画像の縮小操作を終了したときの状態を表わす図である。
【００７６】
図１３で説明したスライド操作が終了後に、図１４に示すように、画像７１が縮小されて、表示可能エリア６５のスライド操作の終点方向、つまり左下に表示される。
【００７７】
図１５は、第３の実施形態において、ユーザが携帯端末２を右手で保持し、画像の縮小操作を開始したときの状態を表わす図である。
【００７８】
図１５を参照して、ディスプレイ７の表示可能エリア６５に画像７１が表示される。ユーザが右手で携帯端末２を保持し、右親指によって、タッチパネル８の右端のある位置を起点として、下にスライドする操作を実行する。
【００７９】
図１６は、第３の実施形態において、ユーザが携帯端末２を右手で保持し、画像の縮小操作を終了したときの状態を表わす図である。
【００８０】
図１５で説明したスライド操作が終了後に、図１６に示すように、画像７１が縮小されて、表示可能エリア６５のスライド操作の終点方向、つまり右下に表示される。
【００８１】
以上のように、第３の実施形態によれば、画像の縮小を指示するのに適したタッチパネルの端を上側から下側にスライドすることによって、画像を縮小して左下または右下に移動させるので、ユーザは片手で縮小された画像に含まれるアイコンをタッチすることができる。
【００８２】
［第４の実施形態］
第４の実施形態の携帯端末は、第３の実施形態における画像の縮小とともに、画像を元の大きさに拡大する機能を有する。
【００８３】
第４の実施形態の制御部１２は、第３の実施形態と同様に、画像の左下への縮小表示ができるとともに、画像を縮小して左下に表示した後、タッチパネル８の左端のある箇所を起点にして上にスライドする操作が実行された場合に、縮小された画像を縮小前の画像の大きさに拡大して、縮小前の位置に移動させることができる。
【００８４】
制御部１２は、第３の実施形態と同様に、画像の右下への縮小表示ができるとともに、画像を縮小して右下に表示した後、タッチパネル８の右端のある箇所を起点にして上にスライドする操作が実行された場合に、縮小された画像を縮小前の画像の大きさに拡大して、縮小前の位置に移動させることができる。
【００８５】
図１７は、第４の実施形態の動作手順を表わすフローチャートである。
図１７を参照して、ステップＳ４０１において、ユーザが、タッチパネル８の左端のある位置を起点として、下にスライド操作を実行した場合に、処理がステップＳ４０２に進む。
【００８６】
ステップＳ４０２において、制御部１２は、現在の表示属性が通常表示の場合には、処理をステップＳ４０３に進ませ、現在の表示属性が通常表示でない場合には、処理を終了する。
【００８７】
ステップＳ４０３において、制御部１２は、左下縮小表示に表示属性を変更することができる。表示属性が、左下縮小表示に変更された場合に、制御部１２は、現在表示されている画像を縮小し、かつディスプレイ７の表示可能エリアの左下に移動させるとともに、以降表示される画像についても縮小し、かつディスプレイ７の表示可能エリアの左下に表示することができる。
【００８８】
ステップＳ４０４において、ユーザが、タッチパネル８の右端のある位置を起点として、下にスライド操作を実行した場合に、処理がステップＳ４０５に進む。
【００８９】
ステップＳ４０５において、制御部１２は、現在の表示属性が通常表示の場合には、処理をステップＳ４０６に進ませ、現在の表示属性が通常表示でない場合には、処理を終了する。
【００９０】
ステップＳ４０６において、制御部１２は、右下縮小表示に表示属性を変更することができる。表示属性が、右下縮小表示に変更された場合に、制御部１２は、現在表示されている画像を縮小し、かつディスプレイ７の表示可能エリアの右下に移動させるとともに、以降表示される画像についても縮小し、かつディスプレイ７の表示可能エリアの右下に表示することができる。
【００９１】
ステップＳ４０７において、ユーザが、タッチパネル８の左端のある位置を起点として、上にスライド操作を実行した場合に、処理がステップＳ４０８に進む。
【００９２】
ステップＳ４０８において、制御部１２は、現在の表示属性が左下縮小表示の場合には、処理をステップＳ４０９に進ませ、現在の表示属性が左下縮小表示でない場合には、処理を終了する。
【００９３】
ステップＳ４０９において、制御部１２は、通常表示に表示属性を変更することができる。表示属性が、通常表示に変更された場合に、制御部１２は、現在表示されている画像を通常サイズに拡大し、かつディスプレイ７の表示可能エリアの通常位置に移動させるとともに、以降表示される画像についても縮小せずに、かつディスプレイ７の表示可能エリアの通常位置に表示することができる。
【００９４】
ステップＳ４１０において、ユーザが、タッチパネル８の右端のある位置を起点として、上にスライド操作を実行した場合に、処理がステップＳ４１１に進む。
【００９５】
ステップＳ４１１において、制御部１２は、現在の表示属性が右下縮小表示の場合には、処理をステップＳ４１２に進ませ、現在の表示属性が右下縮小表示でない場合には、処理を終了する。
【００９６】
ステップＳ４１２において、制御部１２は、通常表示に表示属性を変更することができる。表示属性が、通常表示に変更された場合に、制御部１２は、現在表示されている画像を通常サイズに拡大し、かつディスプレイ７の表示可能エリアの通常位置に移動させるとともに、以降表示される画像についても縮小せずに、かつディスプレイ７の表示可能エリアの通常位置に表示することができる。
【００９７】
（動作例）
図１８は、第４の実施形態において、ユーザが携帯端末２を左手で保持し、画像の通常サイズへの拡大操作を開始したときの状態を表わす図である。
【００９８】
図１８を参照して、ディスプレイ７の表示可能エリア６５の左下に画像７１が縮小表示されている。ユーザが左手で携帯端末２を保持し、左親指によって、タッチパネル８の左端のある位置を起点として、上にスライドする操作を実行する。
【００９９】
図１９は、第４の実施形態において、ユーザが携帯端末２を左手で保持し、画像の通常サイズへの拡大操作を終了したときの状態を表わす図である。
【０１００】
図１８で説明したスライド操作が終了後に、図１９に示すように、画像７１が拡大されて、表示可能エリア６５の通常位置に表示される。
【０１０１】
図２０は、第４の実施形態において、ユーザが携帯端末２を右手で保持し、画像の通常サイズへの拡大操作を開始したときの状態を表わす図である。
【０１０２】
図２０を参照して、ディスプレイ７の表示可能エリア６５の右下に画像７１が縮小表示されている。ユーザが右手で携帯端末２を保持し、右親指によって、タッチパネル８の右端のある位置を起点として、上にスライドする操作を実行する。
【０１０３】
図２１は、第４の実施形態において、ユーザが携帯端末２を右手で保持し、画像の通常サイズへの拡大操作を終了したときの状態を表わす図である。
【０１０４】
図２０で説明したスライド操作が終了後に、図２１に示すように、画像７１が拡大されて、表示可能エリア６５の通常位置に表示される。
【０１０５】
以上のように、第４の実施形態によれば、タッチパネルの左端または右端のある位置を起点にして下にスライドすることによって、画像を縮小表示させた後、タッチパネルの左端または右端のある位置を起点にして上にスライドすることによって、画像の大きさおよび表示位置を元の通常時のものに戻すことができる。
【０１０６】
［第５の実施形態］
第５の実施形態の携帯端末は、第１〜第４の実施形態における画像の縮小表示の際の比率をユーザが設定できる機能を有する。
【０１０７】
第５の実施形態の制御部１２は、ユーザ設定時において、ユーザのタッチパネル８のタッチ箇所に基づいて、画像を縮小するときの縮小率と表示領域を設定する。
【０１０８】
（動作）
図２２は、第５の実施形態の動作手順を表わすフローチャートである。
【０１０９】
ステップＳ５０１において、制御部１２は、携帯端末１を保持する手が左が右かを選択する画像を表示することができる。
【０１１０】
ステップＳ５０２において、ユーザが左手を選択した場合に、処理がステップＳ５０３に進み、ユーザが右手を選択した場合に、処理がステップＳ５０５に進む。
【０１１１】
ステップＳ５０３において、制御部１２は、表示可能エリアの左下隅と右上隅の対角線上において左手の親指でタッチできる最も遠い位置をタッチするようにユーザに指示する。制御部１２は、ユーザによってタッチされた位置Ｐ１を取得する。
【０１１２】
ステップＳ５０４において、制御部１２は、取得した位置Ｐ１に基づいて、画像を左下に縮小表示するときの画像の縮小率を計算するとともに、画像の表示領域を表示可能エリアの左下隅を左下、位置Ｐ１を右上とした矩形領域に設定する。
【０１１３】
ステップＳ５０５において、制御部１２は、表示可能エリアの右下隅と左上隅の対角線上において右手の親指でタッチできる最も遠い位置をタッチするようにユーザに指示する。制御部１２は、ユーザによってタッチされた位置Ｐ２を取得する。
【０１１４】
ステップＳ５０６において、制御部１２は、取得した位置Ｐ２に基づいて、画像を右下に縮小表示するときの画像の縮小率を計算するとともに、画像の表示領域を表示可能エリアの右下隅を右下、位置Ｐ２を左上とした矩形領域に設定する。
【０１１５】
（動作例）
図２３は、第５の実施形態において、ユーザが携帯端末２を左手で保持し、画像を左下に縮小表示するときの縮小率および表示可能エリアを設定している状態を表わす図である。
【０１１６】
図２３を参照して、ユーザが左手で携帯端末２を保持し、左親指によって、表示可能エリア６５の左下隅Ｓと右上隅Ｅの対角線上において左手の親指でタッチできる最も遠い位置をタッチする。タッチした箇所を位置Ｐ１とする。ＳとＰ１との間の距離をＸ、ＳとＥとの間の距離をＹとしたときに、ＸをＹで除算することによって、縮小率Ｒが得られる。
【０１１７】
図２４は、第５の実施形態において、ユーザが携帯端末２を左手で保持し、画像の縮小操作を終了したときの状態を表わす図である。
【０１１８】
画像を左下に縮小表示するときには、縮小率Ｒで縮小された画像が、表示可能エリア６５の左下隅Ｓを左下、位置Ｐ１を右上とした矩形領域に表示される。
【０１１９】
（変形例）
本開示は、上記の実施形態に限定されるものではなく、たとえば以下のような変形例も含まれる。
【０１２０】
（１）縮小表示機能
上記第１〜第５の実施形態では、携帯端末は、画像の左下縮小表示機能と、画像の右下縮小表示機能の両方を備えるものとしたが、いずれか一方の機能のみを備えるものとしてもよい。
【０１２１】
（２）スライド操作の途中段階での表示
上記の実施形態では、スライド操作の終了後に、画像が縮小されて移動することとしたが、これに限定するものではない。スライド操作の終点位置が予め決められており、スライド操作の途中において、始点（起点）と終点との距離に対する始点と途中までの点との距離の比率に応じた縮小率で、画像が縮小されて移動することとしてもよい。
【０１２２】
図２５（ａ）は、スライド操作の開示時に表示される画像を表わす図である。図２５（ｂ）は、スライド操作の途中で表示される画像を表わす図である。図２５（ｃ）は、スライド操作の終了時に表示される画像を表わす図である。
【０１２３】
これらの図に示すように、スライド操作の進行に応じて、画像の縮小率が徐々に増加する。
【０１２４】
（３）下側へのスライド操作
第３の実施形態では、タッチパネルの右端または左端のある箇所を起点にして下にスライド操作させることによって、画像を左下縮小表示または右下縮小表示したが、これに限定されるものではない。
【０１２５】
たとえば、タッチパネルのアイコンの配置されていない任意の箇所を起点にして、下にスライド操作すると、表示されている画像を縮小して表示可能領域内のスライドする操作の終点に近い方向に移動させるようにしてもよい。
【０１２６】
図２６は、スライド操作の開始時に表示される画像を表わす図である。図２７は、スライド操作の終了時に表示される画像を表わす図である。
【０１２７】
図２６のように、タッチパネルのアイコンの配置されていない箇所を起点にしてスライド操作が開示される。
【０１２８】
図２７に示すように、スライド操作の終了後には、表示されている画像は縮小されて表示可能領域内のスライドする操作の終点に近い方向に移動する。
【０１２９】
このように下側へのスライド操作によって、画面を縮小表示させるようにしたのは、横方向へのスライド操作は、画面を遷移させる動作のために割り当てられていることが多いからである。ある方向へのスライド操作が何らかの動作を引き起こすように割り当てられている場合に、その方向に直交する方向のスライド操作を画面を縮小表示させる動作に割り当てることとしてもよい。
【０１３０】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１３１】
２  携帯端末、６  カメラ、７  ディスプレイ、８  タッチパネル、９  スピーカ、１０  マイク、１１  メモリ、１２  制御部、１３  アンテナ、１４  無線通信部  ６５  表示可能エリア、６６  バックキー、６７  ホームキー、６８  アプリ履歴キー、９１  ランチャーフォルダアイコン。
【図１】
2016224523.tif 000003
【図２】
2016224523.tif 000004
【図３】
2016224523.tif 000005
【図４】
2016224523.tif 000006
【図５】
2016224523.tif 000007
【図６】
2016224523.tif 000008
【図７】
2016224523.tif 000009
【図８】
2016224523.tif 000010
【図９】
2016224523.tif 000011
【図１０】
2016224523.tif 000012
【図１１】
2016224523.tif 000013
【図１２】
2016224523.tif 000014
【図１３】
2016224523.tif 000015
【図１４】
2016224523.tif 000016
【図１５】
2016224523.tif 000017
【図１６】
2016224523.tif 000018
【図１７】
2016224523.tif 000019
【図１８】
2016224523.tif 000020
【図１９】
2016224523.tif 000021
【図２０】
2016224523.tif 000022
【図２１】
2016224523.tif 000023
【図２２】
2016224523.tif 000024
【図２３】
2016224523.tif 000025
【図２４】
2016224523.tif 000026
【図２５】
2016224523.tif 000027
【図２６】
2016224523.tif 000028
【図２７】
2016224523.tif 000029